(57)【要約】      （修正有）【課題】公知のバスケットボール機のバスケットが始終同一高度位置に固定され、チャレンジ性と娯楽性が消失する欠点を改善するバスケットボール機を提供する。【解決手段】バスケットボール機２は、本体、移動主架、第一バスケットユニット５、第二バスケットユニット６、及び、第三バスケットユニット７からなる。移動主架は動力ユニットを連設し、動力ユニットは、動力を移動主架に提供して、トラック中で前後に滑動する。第一バスケットユニットは、動力ユニットにより前後に移動し、第二バスケットユニットは、動力ユニットにより左右に移動し、第三バスケットユニットは、動力ユニットにより上下に移動する。バスケットユニットの前後、左右、上下の移動により、バスケットボールの練習効果を向上させ、運動と娯楽増進の効果を達成する。【選択図】図２
0003136891.tif 000002
【実用新案登録請求の範囲】
【請求項１】
バスケットボール機の構造であって、前記バスケットボール機は、左右二側と前方に抵止板を設置し、前記抵止板内に斜板を有し、前記斜板はバスケットボールを集球領域に集中させ、前記バスケットボール機は、少なくとも、
第一トラックと動力ユニットを設置する本体と、
前記第一トラックと接設され、前記本体の動力ユニットにより帯動されて前後に移動し、第二トラック、第三トラック、複数の動力ユニット、及び、横棒を有する移動主架と、
移動棒座を有し、前記移動棒座は前記第二トラック、及び、前記移動主架上の動力ユニットと接設され、複数の支承柱を有し、且つ、前記支承柱上にバックボードとバスケットを設置する第一バスケットユニットと、
移動棒を有し、前記移動棒は前記第三トラック、及び、前記移動主架上のもう一つの動力ユニットと接設され、複数の支承柱を有し、前記支承柱上にバックボードとバスケットを設置する第二バスケットユニットと、
前記移動主架の横棒上に複数の支承柱を設置し、前記支承柱は、移動スリーブを有し、前記支承柱は、軸棒により動力ユニットと連接され、前記移動スリーブ上にそれぞれバックボードとバスケットを設置する第三バスケットユニットと、
からなり、
前記移動主架上の動力ユニットにより、前記第一バスケットユニットを前後に、前記第二バスケットユニットを左右に、前記第三バスケットユニットを上下に移動させ、更に、本体の前記第一トラックと動力ユニットにより、前記移動主架を帯動すると同時に、前後に移動させることを特徴とするバスケットボール機の構造。
【請求項２】
前記第一、第二、及び、第三トラックは線的トラックであることを特徴とする請求項１に記載のバスケットボール機の構造。
【請求項３】
前記第一バスケットユニットの移動棒上に複数のスリーブを有することを特徴とする請求項１に記載のバスケットボール機の構造。
【請求項４】
前記第二バスケットユニットの移動棒上に複数のスリーブを有することを特徴とする請求項１に記載のバスケットボール機の構造。
【請求項５】
前記第一バスケットユニットの移動棒二端は固定片を設置することを特徴とする請求項１に記載のバスケットボール機の構造。
【請求項６】
前記第二バスケットユニットの移動棒二端は固定片を設置することを特徴とする請求項１に記載のバスケットボール機の構造。
【請求項７】
前記バックボードは透明のアクリル板（導光板）であることを特徴とする請求項１に記載のバスケットボール機の構造。
【請求項８】
前記バックボードは冷陰極管ランプを設置することを特徴とする請求項７に記載のバスケットボール機の構造。
【請求項９】
前記第一バスケットユニットは、左右に移動することを特徴とする請求項１に記載のバスケットボール機の構造。
【請求項１０】
前記第二バスケットユニットは、前後に移動することを特徴とする請求項１に記載のバスケットボール機の構造。
【請求項１１】
前記軸棒上方は螺棒部であることを特徴とする請求項１に記載のバスケットボール機の構造。
【請求項１２】
前記螺棒部は複数の軸スリーブと移動スリーブを固設することを特徴とする請求項１１に記載のバスケットボール機の構造。
【請求項１３】
前記抵止板は透明板であることを特徴とする請求項１１に記載のバスケットボール機の構造。
【請求項１４】
前記集球領域上方は台面を設置することを特徴とする請求項１に記載のバスケットボール機の構造。
【請求項１５】
前記台面上はデータディスプレイ、或いは、ゲームレベルディスプレイを設置することを特徴とする請求項１４に記載のバスケットボール機の構造。
【考案の詳細な説明】
【技術分野】
【０００１】
本考案はバスケットボール機構造に関するものであって、特に、バスケットが前後、左右、及び、上下に移動するバスケットボール機構造に関するものである。
【背景技術】
【０００２】
現在、遊戯場所には、バスケットボールのシュート機１がよく設置されている。図１で示されるように、主な構造は、内部に、電子制御回路（図示しない）を有する本体１０中に、若干前方に傾斜した供球道１１と、供球道１１上方に位置し直立状体のバックボード１２と、バックボードの前側に設置されたバスケット１３と、バスケット１３前方の供球道１上方に位置すると共に、投球数と得点数を表示する表示器１４、及び、供球道１間で電子制御回路の制御を受ける抵球素子（図示しない）、起動前に、抵球素子後方で阻止される数個のバスケットボール１５、及び、シュート機を作動させるコイン投入口１６、からなる。
【０００３】
バスケット１３は電子制御回路と連通し、即時に、投球動作を感知する感知素子（図示しない）を有する。また、電子制御回路の被起動状態は時間遅延器（図示しない）により制御され、所定時間終了時、電子制御回路の被起動状態が中止を告知する。もし継続して投球したい場合、再度、コインを投入し、新たに運転を始める。
【０００４】
上述の各素子の構成により、使用者は、コイン投入口１６前方位置に立ち、コイン投入口１６に所定のお金（或いは、コイン）を投入するだけで、本体１０内部の電子制御回路を起動させ、ディスプレイ１４下方の抵球素子（図示しない）が予め抵球素子後方に阻止されていた数個のバスケットボール１５を供球道１１から使用者の前に転がし、電子制御回路は同時に、ディスプレイ１４を起動させて、計数状態になる。使用者はバスケットボール１５を拾い上げ、バスケット１３に向けて投球し、バスケット１３中に一球入れば、バスケット１３上の感知素子が信号を受信して、電子制御回路に伝達し、即時に、電子制御回路の被起動状態が中止になるまで、ディスプレイ１４上に投球数と得点数を表示する。ディスプレイ１４上は、投球数、及び、得点数を表示し、再度、所定の金額（或いは、コイン）を投入すれば、次のゲームが楽しめる。
【０００５】
しかし、公知のバスケットボール機１は、バスケット１３が始終、同一高度位置に固定されて、静止不動状態であるので、使用者は、数度の練習後、一貫して不変の高度位置と距離を熟知し、適当な投球力と角度を把握して、投球率と得点がアップし、満点を獲得することができるようになる。よって、使用者にとってチャレンジ性がなくなり、使用者の練習効果も消失し、バスケットボール機１の耐用性（実用性）、及び、娯楽性に限界がある。
【考案の開示】
【考案が解決しようとする課題】
【０００６】
本考案の目的は、公知のバスケットボール機のバスケットが始終同一高度位置に固定され、チャレンジ性と娯楽性が消失する欠点を改善するバスケットボール機を提供することにある。
【課題を解決するための手段】
【０００７】
本考案のバスケットボール機は左右二側と前方に抵止板を設置し、抵止板内に斜板を有し、斜板はバスケットボールを集球領域に集中させ、集球領域の上方は傾斜状台面を有し、この台面は、データディスプレイ、ゲームレベルディスプレイ等の使用者がゲームの得点を知ることが出来る電子装置を有し、集球領域下方はコイン投入口を有する。
【０００８】
本考案のバスケットボール機は、少なくとも、本体、移動主架、第一バスケットユニット、第二バスケットユニット、及び、第三バスケットユニット、からなる。移動主架は動力ユニットを連設し、動力ユニットは、動力を移動主架に提供して、トラック中で前後に滑動する。第一バスケットユニットは、動力ユニットにより前後に移動し、第二バスケットユニットは、動力ユニットにより左右に移動し、第三バスケットユニットは、動力ユニットにより上下に移動する。バスケットユニットの前後、左右、上下の移動により、バスケットボールの練習効果を向上させ、運動と娯楽増進の効果を達成する。
【考案の効果】
【０００９】
本考案は、公知のバスケットボールゲーム機が画一性でチャレンジ性や面白さに欠ける欠点を改善し、各種異なる位置角度、高度、及び、距離でシミュレーションでき、位置変化により生じる投球難度を増加させ、運動と娯楽を兼具し、消費者の興味を大幅に向上させることができる。
【考案を実施するための最良の形態】
【００１０】
まず、図２は、本考案のバスケットボール機２の外観図である。バスケットボール機２は、左右二側、及び、前方に抵止板２１を有し、抵止板２１は透明板で、抵止板２１内に斜板２２を有し、斜板２２はバスケットボールBを集球領域２３中に集中させる。集球領域２３上方に傾斜状の台面２４を有し、台面２４はデータディスプレイ２５、ゲームレベルディスプレイ２６等、使用者がゲームの得点や進行を知ることが出来る電子装置を有する。集球領域２３下方にコイン投入口２７を有する。
【００１１】
図３、図４で示されるように、本考案のバスケットボール機２内部の構造は、少なくとも、本体３、移動主架４、第一バスケットユニット５、第二バスケットユニット６、及び、第三バスケットユニット７、からなる。
【００１２】
本体３はフレーム体で、本体３二側は、第一トラック３１を設置し、第一トラック３１は左右対称で、第一トラック３１は、実施時に、線的トラックにより実施され、また、本体３のフレーム上に動力ユニット３２を設置し、動力ユニット３２は移動主架４と連設される。
【００１３】
移動主架４は、二側の棒体４１が本体２の第一トラック３１の間に設置され、棒体４１上に固定片４１１を設置し、固定片４１１は、第一トラック３１のブロック３１１、及び、パッド３１２を鎖固し、動力ユニット３２の帯動により、移動主架４上のブロック３１１がトラック３１間で前後シフトする。移動主架４上方は第二トラック４２を設置し、移動主架４の適当な箇所に感応片４３を設置し、感応片４３は本体３上の感知素子３３を感応させ、感知素子３３の感応器３３１が感応片４３を感知する時、動力ユニット３２は移動主架４を前に移動させ、感知素子３３の感応器３３２が感応片４３を感知する時、動力ユニット３２は移動主架４を後に移動させ、このように、前後往復は、移動主架４上に第三トラック４４、横棒４５、及び、動力ユニット４６を設置する。
【００１４】
第一バスケットユニット５は、図３、図６、及び、図７を参照すると、第一バスケットユニット５は移動棒座５１を有し、移動棒座５１の二側下方に固定片５１１を設置し、固定片５１１は第二トラック４２のブロック４２１、及び、パッド４２２と鎖固され、移動棒座５１上に複数のスリーブ５２を有する。スリーブ５２は支承柱５３を設置し、各支承柱５３上に、それぞれ、バックボード５４、バスケット５５、及び、固定座５６を設置し、図６で示されるように、バックボード５４は螺固素子により固定座５６に鎖固され、バスケット５５は、固定板５５１を延伸して、固定座５６上に固設し、固定座５６は支承柱５３の頂端に固設される。固定座５６下方は、鏡面反射センサー５６１を設置し、バスケット５５の前方は鏡面反射センサー５６１の位置に対応して、翼片５５２を設置し、翼片５５２は反光片５５３を貼設する。第一バスケットユニット５の移動棒座５１は移動主架４上の動力ユニット４６と連設され、動力ユニット４６により、移動棒座５１を第二トラック４２の間で前後に移動させ、固定片５１１の適当な箇所に感応片５７を設置し、感応片５７は本体３上の感知素子３４の感応器３４１、３４２を感応させる。
【００１５】
第二バスケットユニット６は、図３、図８で示されるように、第二バスケットユニット６は移動棒６１を有し、移動棒６１は、移動主架４上の第三トラック４４上に架設され、移動棒６１の二側下方に固定片６１１を設置する。固定片６１１は第三トラック４４のブロック４１１、及び、パッド４４２と鎖固され、移動棒６１上に複数のスリーブ62を設置する。スリーブ６２は支承柱６３を設置し、移動主架４上に更に動力ユニット４７を固設する。動力ユニット４７は移動棒６１と連設され、動力ユニット４７により、移動棒６１をトラック４４上で左右に移動させる。移動棒６１の適当な箇所に感応片６４を設置し、感応片６４は本体３上の感知素子３５の感応器３５１、３５２、３５３を感応させる。移動棒６１のスリーブ６２上方は支承柱６３を有し、各支承柱６３上にそれぞれ、バックボード６５、バスケット６６、及び、固定座６７を設置し、バックボード６５、バスケット６６、及び、固定座６７の構造は、第一バスケットユニット５のバックボード５４、バスケット５５、及び、固定座５６と相同であるのでここに詳述しない。
【００１６】
第三バスケットユニット７は、図８、図９で示されるように、複数の支承柱７１を移動主架４の横棒４５上に設置し、支承柱７１上方に移動スリーブ７２を設置する。移動スリーブ７２上にそれぞれ、バックボード７３、バスケット７４、及び、固定座７５、を有し、バックボード７３、バスケット７４、及び、固定座７５は、第一バスケットユニット５のバックボード５４、バスケット５５、及び、固定座５６と相同なので、ここに詳述しない。第三バスケットユニット７は、更に、横棒４５に動力ユニット４８を固設し、動力ユニット４８は軸棒４８１を連接し、軸棒４８１上方は螺棒部４８２で、螺棒部４８２は複数の軸スリーブ４８３と移動スリーブ７２を固設し、軸棒４８１上は、複数のベアリング４８４と支承柱７１を固設する。移動スリーブ７２は長棒７６を固設し、長棒７６下方は感応片７７を設置する。感応片７７は、本体３上の感知素子３６の感応器３６１、３６２を感応させる。動力ユニット４８が起動するとき、軸棒４８１、及び、軸部４８２を旋転させ、螺軸部４８２は軸スリーブ４８３により移動スリーブ７２を帯動して、上下シフトする。
【００１７】
本考案のバスケットボール機２の作動は、使用者がコイン投入口２７から所定のお金（コイン）を投入した後、内部の電子制御回路を起動させ、ディスプレイ２５が計数準備状態に進入し、ゲーム開始時、本考案の電制御回路の設定により、第一バスケットユニット５が、棒体５１１上の感応片５７により本体３上の感知素子３４の感応器３４１、３４２を感応させ、動力ユニット４６により、移動棒座５１を第二トラック４２間で前後に移動させる。第一バスケットユニット５の投球が終了した後、第二バスケットユニット６は移動棒６１により本体３に設置された感知素子３５の感応器３５１、３５２、３５３が感応し、動力ユニット４７が移動棒６１をトラック４４上で左右に移動させる。第二バスケットユニット６の投球が終了した後、第三バスケットユニット７は動力ユニット４８を起動させ、軸棒４８１と螺棒部４８２を旋転させ、螺棒部４８２は、軸スリーブ４８３により移動スリーブ７２を上下シフトさせる。最後に、第一バスケットユニット５、第二バスケットユニット６、第三バスケットユニット７、及び、移動主架４を同時に作動させ、これにより、シュートの困難度を増加させ、ゲームのチャレンジ性と娯楽性を増進する。
【００１８】
また、本考案のバックボード５４、６５、７３の実施時、透明のアクリル板（或いは、導光板）に冷陰極間ランプを組み合わせて実施することができ、異なるライト効果を生成し、冷陰極管ランプは、電子制御回路と接設され、電子制御回路は冷陰極管ランプを発光させて、使用者にバスケットユニットへの投球を提示し、投球の面白さが増加する。
【００１９】
更に、本発明の実施時、前方の第一バスケットユニット５は左右移動、第二バスケットユニット６は前後移動の配置でもよい。
【００２０】
本考案の特徴は、バスケットユニット上に複数のバスケットを設置し、第一バスケットユニット５を前後に移動させ、第二バスケットユニットを左右に移動させ、第三バスケットユニットを上下に移動させ、更に、移動主架４により、第一、第二、第三バスケットユニットを同時に前後に移動させ、使用者に異なるバックフレームを提示し、これにより、使用者は、各種異なる位置角度、高度、及び、距離でシミュレーションでき、位置変化により生じる投球難度を増加させ、運動と娯楽を兼具し、消費者の興味を大幅に向上させる。
【図面の簡単な説明】
【００２１】
【図１】公知のバスケットボール機の立体図である。
【図２】本考案のバスケットボール機の外観図である。
【図３】本考案のバスケットボール機の主体と移動主架の立体分解図である。
【図４】本考案のバスケットボール機の移動主架と第一、第二バスケットユニットの立体分解図である。
【図５】本考案のバスケットボール機の第一、第二バスケットユニットの立体組み合わせ図である。
【図６】本考案のバスケットボール機の第一バスケットユニットの立体図である。
【図７】本考案のバスケットボールフレームの立体分解図である。
【図８】本考案のバスケットボール機の第二バスケットユニットの立体図である。
【図９】本考案のバスケットボール機の第三バスケットユニットの立体分解図である。
【図１０】本考案のバスケットボール機の第三バスケットユニットの立体図である。
【符号の説明】
【００２２】
１バスケットボールゲーム機    
１０本体        
１１供球道
１２バックボード        
１３バスケット
１４ディスプレイ  
１５ボール
１６コイン投入口
２バスケットボールゲーム機    
２１抵止板        
２２斜板
２３集球領域      
２４台面
２５データディスプレイ
２６ゲームレベルディスプレイ
２７投入口
３本体            
３１第一トラック  
３１１ブロック
３１２パッド      
３２動力ユニット
３３感知素子    
３３１、３３２感応器
３４感知素子    
３４１、３４２感応器
３５感知素子    
３５１、３５２、３５３感応器
３６感知素子    
３６１、３６２感応器
４移動主架      
４１棒体        
４１１固定片
４２第二トラック  
４２１ブロック
４２２パッド
４３感応片      
４４第三トラック    
４４１ブロック      
４４２パッド
４５横棒
４６、４７、４８動力ユニット
４８１軸棒      
４８２螺棒部
４８３軸スリーブ      
４８４ベアリング
５第一バスケットユニット    
５１移動棒座    
５１１固定片
５２スリーブ        
５３支承柱
５４籃板        
５５籃框
５６固定座    
５６１鏡面反射感応器
５７感応片      
６第二バスケットユニット    
６１移動棒      
６１１固定片
６２スリーブ        
６３支承柱
６４感応片
６５バックボード
６６バスケット
６７固定座      
７第三バスケットユニット    
７１支承柱      
７２移動スリーブ
７３バックボード        
７４バスケット
７５固定座      
７６長棒
７７感応片
Ｂ  バスケットボール
【図１】
0003136891.tif 000003
【図２】
0003136891.tif 000004
【図３】
0003136891.tif 000005
【図４】
0003136891.tif 000006
【図５】
0003136891.tif 000007
【図６】
0003136891.tif 000008
【図７】
0003136891.tif 000009
【図８】
0003136891.tif 000010
【図９】
0003136891.tif 000011
【図１０】
0003136891.tif 000012